(57)【特許請求の範囲】
【請求項１】
エアゾール容器に固定し、外周壁と内周壁とにより上端を開口した環状凹溝を形成した肩カバーと、この肩カバーの内周壁内に上下動可能に配置するとともにエアゾール容器のステムに接続した押釦と、上記肩カバーの環状凹溝内に下端を接続可能としたオーバーキャップとから成るものにおいて、このオーバーキャップの下端に、下端環状壁の一部を切り欠いて切欠突部を形成可能とする切断予定線を設けるとともに、上記肩カバーの環状凹溝の底壁に、切断予定線の切断によって形成される切欠突部を挿入可能とする開口部を形成し、通常使用時には、オーバーキャップの切断予定線を切断せずにオーバーキャップの下端を肩カバーの環状凹溝の底壁に突き当てて着脱可能に接続することにより、押釦をオーバーキャップ内に収納して押釦の非押圧状態を保つとともに、残留内容物の排出時には、オーバーキャップの切断予定線を切断して切欠突部を形成し、この切欠突部を底壁の開口部内に挿入することによりオーバーキャップを介して押釦を押圧可能とし、この押釦の押圧状態でオーバーキャップを肩カバーに接続固定することにより、内容物の噴射状態を維持して残留内容物の排出を可能としたことを特徴とするエアゾール容器の残留内容物排出装置。
【請求項２】
オーバーキャップには、内周面に内周突部を突設するとともに、肩カバーの内周壁には、残留内容物の排出時にオーバーキャップの内周突部と係合し、押釦の押圧噴射状態を維持可能とする下方外周突部を外周面に突設したことを特徴とする請求項１のエアゾール容器の残留内容物排出装置。
【発明の詳細な説明】
【技術分野】
【０００１】
本発明は、エアゾール製品を廃棄する際に、残留内容物を全量排出するための、エアゾール容器の残留内容物排出装置に関するものである。
【背景技術】
【０００２】
従来、エアゾール容器内に充填された内容物の使用後にエアゾール製品を廃棄する場合、エアゾール容器内に内容物を残留させたまま廃棄すると、噴射ガスの膨張による爆発事故を引き起こすなどの問題を生じるおそれがあった。そこで、特許文献１及び２に示す如く、エアゾール容器内に残留した内容物を全量排出するための残留内容物排出装置が、従来より提案されている。
【０００３】
即ち、特許文献１及び２に記載の残留内容物排出装置は、オーバーキャップを備えたものであって、このオーバーキャップは、周壁の下端側にミシン目などで形成した切断予定線を環状に設けている。また、内側天面に突部を設けるとともに、内周面には切断予定線を介して上下２箇所に上方環状突部、下方環状突部をそれぞれ形成している。そして、通常使用時には、オーバーキャップの下方環状突部をエアゾール容器に係合してオーバーキャップをエアゾール容器に接続固定し、オーバーキャップの内側の突部とエアゾール容器に設けた押釦とを非接触の状態に保っている。そして、残留内容物の排出時には、オーバーキャップの切断予定線を切断して周壁の下端部分を切り取った後、このオーバーキャップの上方環状突部をエアゾール容器に係合してオーバーキャップをエアゾール容器に接続固定することにより、オーバーキャップの突部が押釦を押圧してこの押圧状態を維持し、残留内容物を排出するものである。
【特許文献１】特開２００１−１３０６５８号公報
【特許文献２】特開２００１−１３０６５９号公報
【発明の開示】
【発明が解決しようとする課題】
【０００４】
しかしながら、特許文献１及び２に記載の残留内容物排出装置は、通常使用時にオーバーキャップをエアゾール容器に接続固定した状態で、オーバーキャップにエアゾール容器側への強い力が加えられた場合に、エアゾール容器と係合していた下方環状突部が弾性変形により拡開してエアゾール容器の係合部を乗り越え、更に下方に移動してこの下方環状突部の上方に位置する上方環状突部がエアゾール容器に係合する事態が生じるおそれがある。この場合、オーバーキャップの内側に設けた突部により押釦が押圧されてこの押圧状態を維持し、誤って全量噴射が行われるものとなる。
【０００５】
そこで、本発明は上述の如き課題を解決しようとするものであって、通常使用時に使用者が誤って全量排出を行うことがなく、残留内容物の排出時には、押釦の押圧状態を維持してエアゾール容器内の残留内容物を確実に全量排出可能にしようとするものである。
【課題を解決するための手段】
【０００６】
本発明は上述の如き課題を解決するため、エアゾール容器に固定し、外周壁と内周壁とにより上端を開口した環状凹溝を形成した肩カバーと、この肩カバーの内周壁内に上下動可能に配置するとともにエアゾール容器のステムに接続した押釦と、上記肩カバーの環状凹溝内に下端を接続可能としたオーバーキャップとから成るものにおいて、前記オーバーキャップの下端に、下端環状壁の一部を切り欠いて切欠突部を形成可能とする切断予定線を設けるとともに、上記肩カバーの環状凹溝の底壁に、切断予定線の切断によって形成される切欠突部を挿入可能とする開口部を形成し、通常使用時には、オーバーキャップの切断予定線を切断せずにオーバーキャップの下端を肩カバーの環状凹溝の底壁に突き当てて着脱可能に接続することにより、押釦をオーバーキャップ内に収納して押釦の非押圧状態を保つとともに、残留内容物の排出時には、オーバーキャップの切断予定線を切断して切欠突部を形成し、この切欠突部を底壁の開口部内に挿入することによりオーバーキャップを介して押釦を押圧可能とし、この押釦の押圧状態でオーバーキャップを肩カバーに接続固定することにより、内容物の噴射状態を維持して残留内容物の排出を可能としたものである。
【０００７】
また、オーバーキャップには、内周面に内周突部を突設するとともに、肩カバーの内周壁には、残留内容物の排出時にオーバーキャップの内周突部と係合し、押釦の押圧噴射状態を維持可能とする下方外周突部を外周面に突設しても良い。
【発明の効果】
【０００８】
本発明は上述の如く構成したものであって、オーバーキャップと肩カバーとを備え、通常使用時には、オーバーキャップの下端を肩カバーに設けた環状凹溝の底壁に突き当てて、オーバーキャップを肩カバーに着脱可能に接続して押釦の非押圧状態を保つ。また、残留内容物の排出時には、オーバーキャップの下端に設けた切断予定線を切断して切欠突部を形成し、この切欠突部を肩カバーの環状凹溝に設けた開口部内に挿入した状態で、オーバーキャップを肩カバーに接続固定することにより、オーバーキャップを介して押釦の押圧状態が維持され、内容物を確実に全量排出することが可能となる。
【０００９】
そのため、通常使用時において万が一肩カバーに接続したオーバーキャップがエアゾール容器側に強く押圧された場合であっても、オーバーキャップの下端は肩カバーの環状凹溝内に挿入されて底壁に突き当たっているため、この下端の移動が環状凹溝の底壁によって制限される。そのため、誤ってオーバーキャップを強く押圧した場合も、このオーバーキャップが押釦を押圧することはなく、押釦の非押圧状態が保たれる。従って、通常使用時に誤って全量噴射が行われることはなく、使用完了後の内容物の全量排出を容易且つ確実に行うことが可能な残留内容物排出装置を、簡易な構成且つ廉価な費用で得ることができる。
【実施例１】
【００１０】
以下、本発明の一実施例を図１〜５に於いて説明すれば、(１)は円筒状のオーバーキャップであって、図２に示す如く断面コ字型に形成し、下端にコ字型の切断予定線(２)を、ミシン目によって形成している。そして、この切断予定線(２)を切断することにより、図５に示す如く、オーバーキャップ(１)の下端に突出したコ字型の切欠突部(３)を形成することが可能となる。また、上記切断予定線(２)は、オーバーキャップ(１)に１８０度対称に一対形成配置している。また、図４に示す如く、オーバーキャップ(１)の内周面には、下端側に環状の内周突部(４)を１箇所突設している。
【００１１】
また、図２に示す如く、エアゾール容器(５)の上端には円筒状の肩カバー(６)を装着している。この肩カバー(６)は、外壁(７)をエアゾール容器(５)の肩部(８)に突き当てた状態で、肩カバー(６)の内方に形成した内壁(１０)の下端を、エアゾール容器(５)のマウンティングカップ(１１)の外周に係合固定している。また、肩カバー(６)の中央には円筒状の内周壁(１２)を形成し、この内周壁(１２)内には、エアゾール容器(５)のステム(１８)に接続した押釦(２０)を上下摺動可能に挿通している。また、内周壁(１２)の外周面には、オーバーキャップ(１)の内面に形成した内周突部(４)と係合可能な環状の上方外周突部(１６)及び下方外周突部(１７)を、上下に一定間隔を介してそれぞれ形成している。
【００１２】
そして、上記内周壁(１２)の外方には、底壁(１４)を介して円筒状の外周壁(１３)を、内周壁(１２)と一体に形成している。そして、上記内周壁(１２)、外周壁(１３)及び底壁(１４)によって断面コ字型の環状凹溝(１５)を形成し、この環状凹溝(１５)の内方にオーバーキャップ(１)の下端を挿入可能なものとしている。尚、この環状凹溝(１５)内にオーバーキャップ(１)の下端を挿入してオーバーキャップ(１)の下端面(２２)を底壁(１４)に突き当てた際に、オーバーキャップ(１)の内周突部(４)と内周壁(１２)の上方外周突部(１６)とが係合するとともに、オーバーキャップ(１)の天板(２３)が押釦(２０)を非押圧状態とするよう、各部材の形成位置を予め調整している。また、環状凹溝(１５)の底壁(１４)には、図３に示す如く、オーバーキャップ(１)の切欠突部(３)を挿入可能とする、弧状の開口部(２１)を２箇所貫通形成している。
【００１３】
上記の如く構成したものにおいて、まず通常使用時について説明すると、オーバーキャップ(１)の切断予定線(２)を切断せずに、オーバーキャップ(１)の下端を肩カバー(６)の環状凹溝(１５)内に挿入する。これにより、図４に示す如く、オーバーキャップ(１)の下端面(２２)が環状凹溝(１５)の底壁(１４)に突き当たり、押釦(２０)の非押圧状態が保たれる。またこの時、オーバーキャップ(１)の内周突部(４)が肩カバー(６)の内周壁(１２)の上方外周突部(１６)と係合し、エアゾール容器(５)を横倒しにしたり倒立させた場合にも、オーバーキャップ(１)が肩カバー(６)から抜け落ちるのを困難なものとしている。
【００１４】
また、上記の如くオーバーキャップ(１)の下端を環状凹溝(１５)内に挿入するとともに、このオーバーキャップ(１)の下端面(２２)が環状凹溝(１５)の底壁(１４)に突き当たるため、不用意にオーバーキャップ(１)をエアゾール容器(５)側に強く押圧した場合であっても、環状凹溝(１５)の底壁(１４)によりオーバーキャップ(１)の下端の移動が制限される。従って、オーバーキャップ(１)を介して押釦(２０)を押圧するという事態は生じにくいものとなり、通常使用時に誤って全量噴射が行われることなく、押釦(２０)の非押圧状態をより確実に保つことができる。
【００１５】
次に、残留内容物排出時について説明すると、まず、図５に示す如く、オーバーキャップ(１)の切断予定線(２)を切断してオーバーキャップ(１)の下端に切欠突部(３)を２箇所形成する。そして、この切欠突部(３)を環状凹溝(１５)の底壁(１４)に形成した開口部(２１)に臨ませて、オーバーキャップ(１)の下端を肩カバー(６)の環状凹溝(１５)内に挿入することにより、図１に示す如く、開口部(２１)内に切欠突部(３)が挿通される。そして、このように開口部(２１)内に切欠突部(３)を挿入することにより、オーバーキャップ(１)を介して押釦(２０)が押圧可能なものとなる。
【００１６】
そして、この押釦(２０)の押圧状態下で、図１に示す如く、オーバーキャップ(１)の内周突部(４)と内周壁(１２)の下方外周突部(１７)とを係合することにより、オーバーキャップ(１)を肩カバー(６)に接続固定する。尚、上記内周突部(４)と下方外周突部(１７)とは、ステム(１８)の付勢力に抗して離脱不能に係合し得るものである。これにより、押釦(２０)の押圧状態が継続されるため内容物の噴射状態が維持され、残留内容物の排出を確実に行うことができる。
【００１７】
以上のように、確実な残留内容物の全量噴射を可能とすることにより、エアゾール製品の廃棄時に起こり得るエアゾール容器(５)の爆発事故等を防止することが可能となる。また、上記の如くオーバーキャップ(１)に切欠突部(３)を形成するとともに、肩カバー(６)の環状凹溝(１５)に開口部(２１)を形成するという簡易な構成により、製造容易且つ廉価な費用の製品を得ることができる。
【００１８】
また、本発明のエアゾール容器(５)の残留内容物排出装置は、頭髪用品、化粧品、消臭・制汗剤、その他の人体用品、殺虫剤、コーティング剤、クリーナー、その他の家庭用品、工業用品、自動車用品、食品等のエアゾール製品に用いることができる。そして、頭髪用品として、ヘアースプレー、ヘアートリートメント、ヘアースタイリングフォーム、ヘアーシャンプー・リンス、酸性染毛剤、酸化型２剤タイプ永久染毛剤、カラースプレー・脱色剤、パーマ剤、育毛剤、ヘアートニック、寝癖直しスプレー、髪用フレグランス等に用いることができる。
【００１９】
また、化粧品として、シェービングフォーム、アフターシェーブローション、香水・オーデコロン、洗顔料、日焼け止め、ファンデーション、脱毛・脱色剤、浴用剤等に用いることができる。
【００２０】
また、制汗剤、消臭剤、ボディシャンプー等に用いることができる。また、その他の人体用品としては、筋肉消炎剤、皮膚疾患予防剤、皮膚疾患治療剤、水虫薬、害虫忌避剤、清拭剤、口腔清涼剤、口腔歯磨き剤、傷薬、やけど治療剤等に用いることができる。
【００２１】
また、殺虫剤としては、空間殺虫剤、ゴキブリ殺虫剤、園芸用殺虫剤、殺ダニ剤、不快害虫剤等に用いることができる。また、コーティング剤としては、家庭用塗料、自動車用塗料、アンダーコーティング等に用いることができる。
【００２２】
また、クリーナーとしては、ガラスクリーナー、硬質表面洗浄剤、浴用クリーナー、床・家具艶出しクリーナー、靴・皮革クリーナー、ワックス艶出し剤等に用いることができる。また、その他の家庭用品としては、室内消臭剤、トイレ用消臭剤、防水剤、洗濯糊、除草剤、衣類用防虫剤、防炎剤、除菌剤等に用いることができる。
【００２３】
また、工業用としては、潤滑防錆剤、接着剤、金属探傷剤、離型剤、コーキング剤等に用いることができる。また、自動車用としては、防曇剤、解氷剤、エンジンクリーナー等に用いることができる。その他、動物用品、趣味娯楽用品、食品、例えば、コーヒー、ジュース、クリーム、チーズ等に用いることができる。
【図面の簡単な説明】
【００２４】
【図１】残留内容物の排出状態を示す断面図。
【図２】肩カバーとオーバーキャップとを分離した状態の断面図。
【図３】オーバーキャップを取り除いた状態の平面図。
【図４】通常使用時における残留内容物排出装置の断面図。
【図５】切断予定線を切り欠いて切欠突部を形成したオーバーキャップと肩カバーとを分離した状態の断面図。
【符号の説明】
【００２５】
１  オーバーキャップ
２  切断予定線
３  切欠突部
４  内周突部
５  エアゾール容器
６  肩カバー
１２  内周壁
１３  外周壁
１４  底壁
１５  環状凹溝
１７  下方外周突部
１８  ステム
２０  押釦
２１  開口部
【図１】
0004568679.tif 000002
【図２】
0004568679.tif 000003
【図３】
0004568679.tif 000004
【図４】
0004568679.tif 000005
【図５】
0004568679.tif 000006